(57)【特許請求の範囲】
【請求項１】
相互に平行となった２本の支柱とこれらの支柱の間に所定の間隔おきに固定された複数本の横桟とを有する第１の梯子と、
相互に平行となった２本の支柱とこれらの支柱の間に所定の間隔おきに固定された複数本の横桟とを有する第２の梯子と、
前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台とを有し、
前記第１と第２の梯子のうち少なくとも一方の梯子の支柱を主支柱部と、この主支柱部の先端に設けられた小径嵌合部に摺動自在の副支柱部とにより形成するとともに、前記副支柱部を前記主支柱部から引き出した状態のもとでこれらを固定する固定手段を備え、
水平な基盤と段差のある基盤のいずれにおいても前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする組立式足場台。
【請求項２】
相互に平行となった２本の支柱とこれらの支柱の間に所定の間隔おきに固定された複数本の横桟とを有する第１の梯子と、
横桟により相互に平行に固定され、先端部に小径嵌合部を有する２本の主支柱部、および横桟により相互に平行に固定され、前記小径嵌合部が嵌合する２本の副支柱部を有し、前記小径嵌合部が前記主支柱部内に収縮させると前記第１の梯子よりも全長が短くなる第２の梯子と、
前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台と、
前記副支柱部を前記主支柱部から引き出した状態のもとでこれらを固定する固定手段とを有し、
段差のある基盤においては前記第１の梯子よりも全長を短くした状態の前記第２の梯子を高い位置に配置し、低い位置に前記第１の梯子を配置して前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする組立式足場台。
【請求項３】
相互に平行となった２本の支柱とこれらの支柱の間に所定の間隔おきに固定された複数本の横桟とを有する第１の梯子と、
相互に平行となった２本の支柱とこれらの支柱の間に所定の間隔おきに固定された複数本の横桟とを有し、前記第１の梯子よりも短い寸法の第２の梯子と、
前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台とを有し、
水平な基盤と段差のある基盤のいずれにおいても前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする組立式足場台。
【発明の詳細な説明】
【０００１】
【発明の属する技術分野】
本発明は建築現場などの作業場所において基盤面よりも高い位置の作業を行うための組立式足場台に関する。
【０００２】
【従来の技術】
建築現場の天井部や壁の高い部分の作業を行う際には、作業者は足場台の上に乗って作業を行うようにしている。１つの建築現場での作業が終了した後には他の現場まで足場台を運搬することになるので、足場台を折り畳んだり分解し得るようにすることが好ましく、たとえば、特開平7-180344号公報に開示されるように折り畳み式の足場台が開発されている。
【０００３】
一方、建築現場の階段の裏側などの高所で内装工事や塗装工事などを行う場合には、特開平7-62855 号公報に開示されるように、階段の上に傾斜させて足場板を取り付けるようにしている。
【０００４】
【発明が解決しようとする課題】
同一の建築現場でも、基盤が水平となった作業個所での作業と、階段の上のように段差がある作業個所とが存在することが多く、それぞれ別々の作業台を使用していたのでは、建築用の仮設部材が多くなってしまうという問題点がある。
【０００５】
水平な作業個所と段差のある作業個所とで同一の足場台を使用することができれば、建築現場に搬送する仮設部材の数が少なくなるという利点が得られる。
【０００６】
本発明の目的は、同一の足場台によって水平な作業個所と段差のある作業個所のいずれにおいても作業を行い得るようにすることにある。
【０００７】
【課題を解決するための手段】
本発明の組立式足場台は、相互に平行となった２本の支柱とこれらの支柱の間に所定の間隔おきに固定された複数本の横桟とを有する第１の梯子と、相互に平行となった２本の支柱とこれらの支柱の間に所定の間隔おきに固定された複数本の横桟とを有する第２の梯子と、前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台とを有し、前記第１と第２の梯子のうち少なくとも一方の梯子の支柱を主支柱部と、この主支柱部の先端に設けられた小径嵌合部に摺動自在の副支柱部とにより形成するとともに、前記副支柱部を前記主支柱部から引き出した状態のもとでこれらを固定する固定手段を備え、水平な基盤と段差のある基盤のいずれにおいても前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする。
【０００８】
また、本発明の組立式足場台は、相互に平行となった２本の支柱とこれらの支柱の間に所定の間隔おきに固定された複数本の横桟とを有する第１の梯子と、横桟により相互に平行に固定され、先端部に小径嵌合部を有する２本の主支柱部、および横桟により相互に平行に固定され、前記小径嵌合部が嵌合する２本の副支柱部を有し、前記小径嵌合部が前記主支柱部内に収縮させると前記第１の梯子よりも全長が短くなる第２の梯子と、前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台と、前記副支柱部を前記主支柱部から引き出した状態のもとでこれらを固定する固定手段とを有し、段差のある基盤においては前記第１の梯子よりも全長を短くした状態の前記第２の梯子を高い位置に配置し、低い位置に前記第１の梯子を配置して前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする。
【０００９】
さらに、本発明の組立式足場台は、相互に平行となった２本の支柱とこれらの支柱の間に所定の間隔おきに固定された複数本の横桟とを有する第１の梯子と、相互に平行となった２本の支柱とこれらの支柱の間に所定の間隔おきに固定された複数本の横桟とを有し、前記第１の梯子よりも短い寸法の第２の梯子と、前記第１の梯子のいずれかの横桟に係合する下側フックとこの下側フックが係合する横桟より上側の横桟に係合する上側フックとが一端部の両側に設けられるとともに前記第２の梯子のいずれかの横桟に係合する下側フックとこの下側フックが係合する横桟よりも上側の横桟に係合する上側フックとが他端部の両側に設けられた踏み台とを有し、水平な基盤と段差のある基盤のいずれにおいても前記踏み台を両方の前記梯子の間の任意の横桟の間に水平状態に保持するとともに前記踏み台の両端部を前記下側フックと前記上側フックとで前記横桟に係合させることにより前記踏み台を介して前記第１と第２の梯子を固定することを特徴とする。
【００１０】
【発明の実施の形態】
以下、本発明の実施の形態を図面に基づいて詳細に説明する。
【００１１】
図１は本発明の一実施の形態である組立式足場台を示す斜視図であり、この組立式足場台は第１の梯子１０と第２の梯子２０とこれらの間に配置される踏み台３０とを有している。
【００１２】
第１の梯子１０は相互に平行となった２本の支柱１１，１２と、これらの支柱１１，１２の間に所定の間隔おきに固定された８本の横桟１３とを有している。この第１の梯子１０の長さは約２ｍ程度であり、幅は５０ｃｍ程度に設定されており、支柱１１，１２および横桟１３はそれぞれ３ｃｍ程度の断面四角形の中空角パイプが使用されている。
【００１３】
この第１の梯子１０の最下部には、両端に滑り止め用のゴムキャップ１４が取り付けられる受け棒１５が取り付けられているが、この受け棒１５を設けることなく、支柱１１，１２の下端部に滑り止め用のゴムキャップを取り付けるようにしても良い。また、下から２段目の横桟１３には、この内部を貫通して外方に突出する足場棒材１６が取り付けられている。
【００１４】
第２の梯子２０は相互に平行となった２本の支柱２１，２２と、これらの支柱２１，２２の間に所定の間隔おきに固定された６本の横桟２３とを有している。この第２の梯子２０の支柱２１，２２は、図２に示すように、１本の横桟２３により相互に連結された下側の主支柱部２１ａ，２２ａと、５本の横桟２３により相互に連結された上側の副支柱部２１ｂ，２２ｂとにより形成されている。主支柱部２１ａ，２２ａの先端には小径の嵌合部２４が突出して設けられ、この嵌合部２４には上側の副支柱部２１ｂ，２２ｂが摺動自在に嵌合している。したがって、副支柱部２１ｂ，２２ｂを主支柱部２１ａ，２２ａから引き出して、これらを相互に摺動させることにより、第２の支柱２０の全長を変化させることができる。なお、この小径嵌合部２４は、主支柱部２１ａ，２２ａの中にこれよりも小径の角パイプを嵌合させることにより形成されている。
【００１５】
図１および図２は、第２の支柱２０を収縮させて第１の支柱１０よりも短く設定した状態を示し、副支柱部２１ｂ，２２ｂを主支柱部２１ａ，２２ａから引き出すことによって、第１の支柱１０とほぼ同様の長さとすることができる。たとえば、図示する場合には、1.５ｍ程度の長さから２ｍ程度の長さまで全長を伸縮させて調整することができる。副支柱部を主支柱部から引き出して所定の長さとした状態のもとで、これらを固定するために、嵌合部２４には所定の間隔毎に貫通孔２５が形成され、この中に固定ピン２６が貫通されるようになっている。
【００１６】
踏み台３０は長方形の枠体３１とこの枠体３１に幅方向に取り付けられた複数本の補強棒３２とを有し、これらは４×２ｃｍ程度の中空の角パイプにより形成されており、この枠体３１の上面にはパンチメタルや金網などからなるメッシュ状の踏み板３３が設けられている。踏み板３０の幅はそれぞれの梯子１０，２０の支柱間の寸法よりも狭く設定されており、長さは1.２ｍ程度となっている。
【００１７】
なお、前述したそれぞれの梯子１０，２０および踏み台３０を全長および幅の寸法は任意の値に設定することができ、横桟１３，２３の数も任意の数に設定することができることは言うまでもない。
【００１８】
踏み台３０の４つの角部には連結棒３４が固定され、それぞれの連結棒３４の下端部には両方の梯子１０，２０のいずれかの横桟１３，２３に係合する下側フック３５が取り付けられ、それぞれ連結棒３４の上端部には下側フック３５が係合する横桟の１つ上側の横桟に係合する上側フック３６が取り付けられている。これにより、図１に示すように、踏み台３０は両端部における４つずつ、合計８つのフックにより２つの梯子１０，２０に着脱自在に取り付けられる。
【００１９】
踏み台３０が２つの梯子１０，２０から外れないようにするために、踏み台３０の両端部に４つずつ設けられたフック３５，３６のうち、いずれか１つずつには貫通孔３７が形成され、この貫通孔３７には固定ピン３８が貫通するようになっている。
【００２０】
なお、図３において二点鎖線で示すように、上側のフック３６を開閉アーム３９の先端に設けるようにしても良い。その場合には、連結棒３４は使用されないことになる。
【００２１】
図４は図１の正面図であり、第２の梯子２０を収縮させて最も短くした状態とし、第１の梯子１０と第２の梯子２０との間に踏み台３０を水平に取り付けた状態を示す。この場合には、比較的低い個所の壁などに種々の作業を行う際に有効である。
【００２２】
この場合よりも高い個所の作業、たとえば天井の塗装作業などを行う場合には、図５に示すように、第２の梯子２０の支柱の上側の部分である副支柱部２１ｂ，２２ｂを主支柱部２１ａ，２２ａから引き出した状態で固定ピン２６を小径嵌合部２４に形成された貫通孔２５に貫通させて、主支柱部の摺動をロックしてこれと副支柱部とを相互に固定し、任意の横桟１３，２３の間に踏み板３０を取り付ける。これにより、高い作業個所での作業を行う際に有効となる。
【００２３】
図６は階段Ｓ2 の下面に塗装作業などを行う場合に、第２の梯子２０を収縮させてその全長を短くした状態として、作業が行われる下側の階段Ｓ1 に組立式足場台を配置する。その際には、収縮されて短くなった梯子２０を階段の高い部分に位置させて組立式足場台を配置する。これにより、階段の高い部分に位置することになる梯子２０の全長は短くなっているので、その梯子２０の上端部が作業がなされる階段Ｓ2 の下面に接触することなく、容易に組立式足場台を配置することができる。
【００２４】
本発明は前記実施の形態に限定されるものではなく、その要旨を逸脱しない範囲で種々変更可能であることはいうまでもない。
【００２５】
たとえば、図示する場合には、第２の梯子２０のみを伸縮式としているが、第１の梯子１０と第２の梯子２０の両方を伸縮式としても良い。また、第１と第２の梯子１０，２０の一方を伸縮式としているが、一方の第１の梯子１０を図示する長さとし、他方の第２の梯子２０を図１および図４に示す長さとして、いずれも伸縮式としないようにしても良い。
【００２６】
【発明の効果】
同一の組立式足場台を用いて水平な作業個所と段差のある作業個所とのいずれにおいても踏み台を水平状態に保持してその上で作業者が作業することができる。２つの梯子のうち少なくとも一方を伸縮自在とすることにより、階段の裏側などのような段差のある個所でも足場台を組み立てて作業することができ、その際には一方の梯子を他方の梯子よりも収縮させて短くすることにより、短くした方の梯子が階段の裏面に干渉することを防止でき、階段の裏面の作業を確実に行うことができる。
【図面の簡単な説明】
【図１】本発明の一実施の形態である組立式足場台を示す斜視図である。
【図２】図１に示された第１の梯子の一部切り欠き側面図である。
【図３】踏み台を示す正面図である。
【図４】図１の正面図である。
【図５】第２の梯子を第１の梯子とほぼ同様の長さにまで伸ばした状態を示す正面図である。
【図６】第２の梯子を収縮させて段差のある作業個所に配置された組立式足場台を示す正面図である。
【符号の説明】
１０      第１の梯子
１１，１２    支柱
１３      横桟
１４      ゴムキャップ
１５      受け棒
１６      足場棒材
２０      第２の梯子
２１，２２    支柱
２１ａ，２２ａ    主支柱部
２１ｂ，２２ｂ    副支柱部
２３      横桟
２４      小径嵌合部
２５      貫通孔
２６      固定ピン
３０      踏み台
３１      枠体
３２      補強部材
３３      踏み板
３４      連結部材
３５      下側フック
３６      上側フック
３７      貫通孔
３８      固定ピン
【図１】
0004037964.tif 000002
【図２】
0004037964.tif 000003
【図３】
0004037964.tif 000004
【図４】
0004037964.tif 000005
【図５】
0004037964.tif 000006
【図６】
0004037964.tif 000007